(57)【要約】【課題】ＬＥＤ等の自己発光体を用いても、自己発光体の着脱が容易で洗濯等ができ、作業服等自体から光を発することにより作業服等の服自体が隠れることのない構造の安全衣服を提供する。【解決手段】衣服本体３と、自己発光体２５を有し、前後・左右・上部から視認可能で着座時及び作業時に邪魔にならない位置となるように衣服本体３に設けられる発光部材５，７とを備える。【選択図】図１
2011084838.tif 000002
【特許請求の範囲】
【請求項１】
衣服本体（３，４３）と、
自己発光体（２５）を有し、前後・左右・上部から視認可能で着座時及び作業時に邪魔にならない位置となるように前記衣服本体（３，４３）に設けられる発光部材（５，７，５１，５２）とを備えていることを特徴とする安全衣服（１，４１）。
【請求項２】
請求項１記載の発明であって、
前記衣服本体（３．４３）における前後・左右・上部から視認可能で着座時及び作業時に邪魔にならない位置が少なくとも上腕の外周部であり、該上腕の外周部にフレキシブルで光透過可能な保持部材（３３）が配置され、前記自己発光体（２５）は前記保持部材（３３）の内部に設けられることを特徴とする安全衣服（１，４１）。
【請求項３】
請求項１又は２記載の発明であって、
前記発光部材（５，７）は、前記衣服本体（３，４３）の裏側に保持可能な携帯電源（２２）と、前記自己発光体（２５）が配置されると共に前記携帯電源（２２）とハーネス（２３）を介して接続され、前記保持部材（３３）の内部に配置可能なフレキシブル基板（２１）とから形成されていることを特徴とする安全衣服（１，４１）。
【請求項４】
請求項３記載の発明であって、
前記ハーネス（２３）が挿脱される開閉具を備えたフレキシブルなガイド筒（３１）が前記衣服本体（３，４３）に設けられていることを特徴とする安全衣服（１，４１）。
【請求項５】
請求項１又は２記載の発明であって、
前記発光部材（５１，５２）は、前記自己発光体（２５）を有したフレキシブル性のベルト（５３）と、このベルト（５３）に内蔵された電源とから形成されていることを特徴とする安全衣服（１，４１）。
【請求項６】
請求項１〜５のいずれか１項記載の発明であって、
前記発光部材（５，７，５１，５２）は、係止具（６１，６２，６３，６４，６５，６６，６７）を介して前記衣服本体（３，４３）に着脱自在に取り付けられることを特徴とする安全衣服（１，４１）。
【発明の詳細な説明】
【技術分野】
【０００１】
本発明は、周囲からの視認が容易となっていることにより、作業服のみならず、夜間用の衣服、ブルゾンなどの通常衣服に適用可能な安全衣服に関する。
【背景技術】
【０００２】
夜間や暗所で自分の位置を第三者に知らせるため、反射材を取り付けた作業服が使用されているが、外部からの光がない場合、反射材は光を反射することができないため、視認性に欠ける問題がある。
【０００３】
これに対し、ＬＥＤは電力供給によって自己発光するため、外部からの光がなくても自己の位置を知らせることができ、反射材に比べて視認性を確保できる。そこで、ＬＥＤを装着した安全ベストが開発されている（特許文献１参照）。
【０００４】
この安全ベストは、複数のＬＥＤを実装したベルトをベスト本体の外面に縫い付けた構造となっており、通常の作業服の上にベスト本体を着用した状態で、電源からＬＥＤに電力を供給する。これにより、ＬＥＤが自己発光するため、周囲からの視認が可能となり、夜間や暗所での作業の視認性を向上させることができる。
【先行技術文献】
【特許文献】
【０００５】
【特許文献１】特開２００４−１０７８５０号公報
【発明の概要】
【発明が解決しようとする課題】
【０００６】
しかしながら、上述した安全ベストでは、ＬＥＤがベスト本体に縫い付けられるため、ベスト本体からの取り外しができない。このため、安全ベストが汚れたとき安全ベストを洗濯することができない。やむなく洗濯する場合には、ＬＥＤ実装ベルトを縫い付け状態から取り外し、その後、ＬＥＤ実装ベルトを再度縫い付ける必要があり、極めて面倒となる問題がある。
【０００７】
又、安全ベストは、作業服の上に被せられるように着用されるため、重くなったり、作業服の大部分が隠れて、作業性の低下を招いたり、作業服のポケットからの物の出し入れが面倒となる問題も有している。
【０００８】
そこで、本発明は、ＬＥＤ等の自己発光体を用いても、自己発光体の着脱が容易で洗濯等が容易であり、しかも作業服等自体から光を発することにより作業服等の服自体が隠れることのない構造の安全衣服を提供することを目的とする。
【課題を解決するための手段】
【０００９】
請求項１記載の発明の安全衣服は、衣服本体と、自己発光体を有し、前後・左右・上部から視認可能で着座時及び作業時に邪魔にならない位置となるように前記衣服本体に設けられる発光部材とを備えていることを特徴とする。
【００１０】
請求項２記載の発明は、請求項１記載の安全衣服であって、前記衣服本体における前後・左右・上部から視認可能で着座時及び作業時に邪魔にならない位置が少なくとも上腕の外周部であり、該上腕の外周部にフレキシブルで光透過可能な保持部材が配置され、前記自己発光体は前記保持部材の内部に設けられることを特徴とする。
【００１１】
請求項３記載の発明は、請求項１又は２記載の安全衣服であって、前記発光部材は、前記衣服本体の裏側に保持可能な携帯電源と、前記自己発光体を有すると共に前記携帯電源とハーネスを介して接続され、前記保持部材の内部に配置可能なフレキシブル基板とから形成されていることを特徴とする。
【００１２】
請求項４記載の発明は、請求項３記載の安全衣服であって、前記ハーネスが挿脱される開閉具を備えたフレキシブルなガイド筒が前記衣服本体に設けられていることを特徴とする。
【００１３】
請求項５記載の発明は、請求項１又は２記載の安全衣服であって、前記発光部材は、前記自己発光体を有したフレキシブル性のベルトと、このベルトに内蔵された電源とから形成されていることを特徴とする。
【００１４】
請求項６記載の発明は、請求項１〜５のいずれか１項記載の安全衣服であって、前記発光部材は、係止具を介して前記衣服本体に着脱自在に取り付けられることを特徴とする。
【発明の効果】
【００１５】
請求項１記載の発明によれば、発光部材が前後・左右・上部から視認可能で着座時及び作業時に邪魔にならない位置となるように衣服本体に設けられているため、発光部材の自己発光体が発光することにより、着座時、作業時のいずれにおいても周囲の第三者が確実に視認することができる。このため、安全性が向上する。
【００１６】
又、請求項１記載の発明によれば、自己発光体を有した発光部材が衣服本体に直接に設けられるため、安全ベストを着用する必要がなく、安全ベスト着用の手間が不要となる。しかも重くなったり、衣服本体が安全ベスト等によって隠れることがないため、作業性が低下することがないと共に衣服本体のポケットからの出し入れが容易となる。さらに、自己発光体を有した発光部材が衣服本体に設けられており、発光部材を衣服本体から取り外すことにより、衣服本体の洗濯が容易に可能となる。
【００１７】
請求項２記載の発明によれば、請求項１記載の発明の効果に加えて、フレキシブルで光透過可能な保持部材が衣服本体における前後・左右・上部から視認可能で、着座時及び作業時に邪魔にならない位置に設けられており、この保持部材の内部に自己発光体が設けられるため、自己発光体を衣服本体に簡単に着脱することができる。このため、自己発光体を衣服本体から簡単に取り外し、衣服本体を洗濯することができる。
【００１８】
請求項３記載の発明によれば、請求項１及び２記載の発明の効果に加えて、発光部材が、衣服本体の裏側に保持可能な携帯電源と、自己発光体を有すると共に携帯電源とハーネスを介して接続されるフレキシブル基板とによって形成されるため、携帯電源から自己発光体に確実に電力を供給でき、自己発光体の発光を確保できる。又、フレキシブル基板を保持部材の内部に配置するため、発光部材の衣服本体への着脱が容易となる。
【００１９】
請求項４記載の発明によれば、請求項３記載の発明の効果に加えて、ハーネスが挿脱される開閉具を備えたフレキシブルなガイド筒が衣服本体に設けられているため、ハーネスの配索が容易となると共に、衣服本体の着用の際にハーネスが邪魔になることがなくなる。又、ガイド筒が開閉具を備えているため、ガイド筒に対するハーネスの挿入及び離脱を簡単に行うことができる。
【００２０】
請求項５記載の発明によれば、請求項１及び２記載の発明の効果に加えて、自己発光体を有したフレキシブル性のベルトと、このベルトに内蔵された電源とによって発光部材が形成されるため、発光部材の全体をコンパクトで簡単な構成とすることができる。このため、衣服本体に対する発光部材の取り扱いが容易となる。
【００２１】
請求項６記載の発明によれば、請求項１〜５記載の発明の効果に加えて、発光部材が係止具を介して衣服本体に着脱自在に取り付けられるため、発光部材を衣服本体に確実に取り付けることができる。
【図面の簡単な説明】
【００２２】
【図１】本発明の第１実施形態の安全衣服を示す正面図である。
【図２】第１実施形態の発光部材を示す斜視図である。
【図３】発光部材を衣服本体に配置した状態を示す断面図である。
【図４】発光部材を衣服本体に取り付けた状態を示す断面図である。
【図５】作業時における作用を示す斜視図である。
【図６】本発明の第２実施形態の安全衣服を示す正面図である。
【図７】第２実施形態の安全衣服の内部を示す展開図である。
【図８】ガイド筒を示す斜視図である。
【図９】発光部材の別の実施形態を示す斜視図である。
【図１０】発光部材のさらに別の実施形態を示す斜視図である。
【図１１】本願発明の効果を説明するための説明図である。
【図１２】本願発明の効果を説明するための説明図である。
【図１３】本願発明の効果を説明するための説明図である。
【図１４】本願発明の効果を説明するための説明図である。
【発明を実施するための形態】
【００２３】
以下、本発明を図示する実施形態により、具体的に説明する。なお、各実施形態において、同一の部材には、同一の符号を付して対応させてある。
【００２４】
［第１実施形態］
図１〜図５は、本発明の第１実施形態の安全衣服１を示し、図１は全体の正面図、図２は発光部材の斜視図、図３は発光部材の配置を示す断面図、図４は発光部材の取り付け状態を示す断面図、図５は安全衣服１を着用した作業状態を示す斜視図である。
【００２５】
この実施形態の安全衣服１は、作業服や夜間道路作業服に適用されるものである。図１に示すように、この実施形態の安全衣服１は、衣服本体３と、発光部材５、７とを有している。
【００２６】
衣服本体３は、全体が服地によって形成されており、着用者の胸回り及び胴回りを覆う身頃部１１と、左右の腕回りを覆う袖部１２、１２と、首回りを覆う襟ぐり部１３とを有している。
【００２７】
発光部材５、７は、衣服本体３に対して複数が設けられる。それぞれの発光部材５，７は、後述するフレキシブル基板２１を備えている。発光部材５、７のフレキシブル基板２１を設ける位置は、衣服本体３における前後・左右・上部から視認可能な位置で、且つ着座時及び作業時に邪魔にならない位置が選定される。図１に示す衣服本体３においては、発光部材５，５のフレキシブル基板２１が左右の袖部１２、１２のそれぞれに設けられ、発光部材７，７のフレキシブル基板２１が身頃部１１における胴回りの前側部分の左右に設けられている。
【００２８】
袖部１２、１２側の発光部材５，５におけるフレキシブル基板２１は、袖部１２、１２における左右の肩口１５、１５に近接した位置に設けられるものであり、肘部よりも上側である上腕部の周囲に設けられている。上腕部は、腕全体を動かしても、下腕部よりも動く量が少ないため、着座時や作業時に前後・左右・上部から視認し易い箇所である。又、上腕部は、着座時や作業時に邪魔となることがない箇所である。従って、発光部材５，５のフレキシブル基板２１を左右の袖部１２，１２における上腕部の周囲に設けることにより、第三者が視認し易いものとなる。
【００２９】
袖部１２，１２側のそれぞれの発光部材５，５におけるフレキシブル基板２１は、左右の袖部１２，１２の全周にわたって袖部１２，１２の外側に位置するように設けられるものであり、袖部１２，１２の全周にわたって設けられることにより、前後・左右・上部から確実に視認することが可能となっている。
【００３０】
胴回り部分側の発光部材７，７におけるフレキシブル基板２１は、身頃部１１における前側である前身頃部１１ａに設けられている。発光部材７，７におけるフレキシブル基板２１のそれぞれは、左右の胸部から胴部の左右に向かって斜めに下がるように前身頃部１１ａの外側に設けられている。この場合、各フレキシブル基板２１の下端部分は、腰部よりも上部に位置しており、発光部材７，７においては、フレキシブル基板２１の全体が腰部よりも上部の左右側に配置される。
【００３１】
前身頃部１１ａにおける胴回り部分の左右は、前側、左右から視認し易い箇所であり、着座時や作業時に第三者が視認し易いものとなる。又、発光部材７，７のフレキシブル基板２１を前身頃部１１ａの胴回り部分に設けることにより、着座時及び作業時の邪魔となることがない。なお、前身頃部１１ａに対し、後身頃部は、着座時に椅子の背もたれ部に隠蔽されるため、視認しにくい。このため、発光部材７，７のフレキシブル基板２１を後身頃部へ配置することは好ましくない。
【００３２】
図２は、発光部材５，７を示す。発光部材５，７は、フレキシブル基板２１，２１と、携帯電源２２と、携帯電源２２とそれぞれのフレキシブル基板２１，２１とを接続するハーネス２３，２３とを備えている。
【００３３】
図１に示すように、袖部側の発光部材５，５及び胴回り部分側の発光部材７，７のそれぞれが、衣服本体３の左右に一対ずつ設けられる。このような衣服本体３の左右一対への配置に対応するため、フレキシブル基板２１，２１は一対を有している。それぞれのフレキシブル基板２１，２１は、長尺な帯状となっており、その長さ方向に沿って複数の自己発光体としてのＬＥＤ２５が一列状となって実装されている。
【００３４】
ＬＥＤ２５は、帯状のフレキシブル基板２１，２１の略全長にわたって配置されている。ＬＥＤ２５は、電力が供給されることにより所定の色の光を発する。
【００３５】
携帯電源２２は、コネクタ２６，２６を有しており、各コネクタ２６，２６にハーネス２３，２３の基端部が接続される。ハーネス２３，２３の先端部は各フレキシブル基板２１，２１に設けられたコネクタ（図示省略）に接続され、携帯電源２２からの電力がフレキシブル基板２１，２１に供給可能となる。このような構造では、ハーネス２３を携帯電源２２及びフレキシブル基板２１から取り外すことにより発光部材５，７を分解することができる。
【００３６】
携帯電源２２は、スイッチ２７を有しており、スイッチ２７を押圧操作することにより、電力供給のＯＮ，ＯＦＦが切り換えられる。携帯電源２２としては、繰り返し充電が可能な充電式を用いることが良好であるが、電池式を用いても良い。
【００３７】
携帯電源２２は、衣服本体３の裏側に保持されるものであり、図１に示すように、衣服本体３の前身頃部１１ａの裏側には、左右のポケット１６，１６が縫い付けられている。左右のポケット１６，１６は、前身頃部１１ａの裏側における胴回り部分に縫い付けられており、それぞれのポケット１６，１６内に携帯電源２２が収納されて保持されるようになっている。このように携帯電源２２が衣服本体３の裏側に保持されることにより、携帯電源２２が外から見えることがなく、外観が向上すると共に、携帯電源２２が作業の邪魔になることがなくなる。又、携帯電源２２を確実に保持することができる。この場合、クリップ（図示省略）等を用いて携帯電源２２をポケット１６内に保持しても良い。
【００３８】
ハーネス２３は、衣服本体３の裏側に配索されており、対応するフレキシブル基板２１と携帯電源２２とを接続する。衣服本体３の裏側へのハーネス２３の配索に際し、布材等からなるフレキシブル性を有したガイド筒３１（図８参照）を衣服本体３の裏側に縫い付け、このガイド筒３１内にハーネス２３を挿入することが良好である。これにより、ハーネス２３の配索が容易となる。又、配索したハーネス２３が衣服本体３の裏側で変位したり、移動することがないため、衣服本体３の着用時や作業時の邪魔となることがなくなる。
【００３９】
図４（ａ）、（ｂ）は、衣服本体３の外側に対して発光部材５，７のフレキシブル基板２１を設ける構造を示す。図４に示すように、衣服本体３の外側には、保持部材３３が設けられる。保持部材３３は、フレキシブルで且つ光透過性を有した材料が用いられる。
【００４０】
この保持部材３３の材料としては、塩化ビニール等の透明樹脂シート、布材からなるメッシュ素材等を選択できるが、繰り返しの洗濯や、長期の使用による劣化や、衣服本体３を洗濯し乾かす時の速乾性を考慮した場合、布材からなるメッシュが良好である。このような保持部材３３は、その幅方向の両端部を衣服本体３とはぎ合わせ、更に保持部材３３の下に衣服本体３と同素材の布７０を縫い合わせる事により衣服本体３に配置される。上述のとおり保持部材３３の下に衣服本体３と同素材の布７０を縫い合わせる為、保持部材３３と同素材の布７０との間に隙間８４を設ける事ができる。また、同素材の布７０を縫い合わせる事で、図４（ｂ）に示すようにスリット７３を設ける事が出来、フレキシブル基板２１を衣服本体３の裏から容易に配置し保持する事が出来る。
【００４１】
このようにＬＥＤ２５を実装したフレキシブル基板２１，２１を衣服本体３に配置するため、保持部材３３は、衣服本体における前後・左右・上部から視認可能で、着座時及び作業時に邪魔にならない位置に配置される。この実施形態では、図１に示すように、左右の袖部１２，１２における上腕部の周囲及び前身頃部１１ａにおける胴回り部分の左右に配置されている。左右の袖部１２，１２の上腕部は、前後・左右・上部から視認が可能であり、且つ着座時や作業時の邪魔となることがない。前身頃部１１ａにおける胴回り部分の左右は、前側、左右から視認し易い箇所であり、しかも着座時及び作業時の邪魔とならない箇所である。
【００４２】
以上の保持部材３３内にフレキシブル基板２１を配置することにより、自己発光体であるＬＥＤ２５がフレキシブル基板２１と共に保持部材３３内に配置されて保持される。従って、フレキシブル基板２１すなわちＬＥＤ２５の変位や移動、さらには脱離を防止することができる。又、保持部材３３が光透過性を有しているため、ＬＥＤ２５からの光が保持部材３３を透過する。このため、ＬＥＤ２５の光を周囲の第三者が前後・左右・上部から視認することができる。又、保持部材３３を上述した位置に配置するため、ＬＥＤ２５が着座時や作業時に邪魔となることがない。
【００４３】
このように保持部材３３内にフレキシブル基板２１を配置する構造では、発光部材５，７のフレキシブル基板２１すなわちＬＥＤ２５を衣服本体３に簡単に着脱することができる。
【００４４】
図３は、袖部１２側へのフレキシブル基板２１の配置を示す。袖部１２における上腕部には、上述した保持部材３３が周回するように縫い付けられており、この保持部材３３の内部にフレキシブル基板２１が挿入されることにより、フレキシブル基板２１が保持部材３３と、袖部１２における服地１２ａとの間に配置されて保持される。このような配置では、フレキシブル基板２１すなわちＬＥＤ２５が袖部１２の服地１２ａの外側全周にわたって設けられるため、ＬＥＤ２５の光を前後・左右・上部から視認することができる。
【００４５】
図５は、作業者８が倉庫の狭い箇所で荷物１０の取り扱いを行っている状態を示す。作業者８は、図１に示す安全衣服１を着用しており、携帯電源２２のスイッチ２７をＯＮとしている。これにより、袖部１２側の発光部材５におけるＬＥＤ２５が発光すると共に、前身頃部１１ａの胴回り部分側の発光部材７におけるＬＥＤ２５（図示省略）が発光している。倉庫の内部は暗く、しかも狭い作業場所であっても、袖部１２側のＬＥＤ２５の発光を周囲から視認することができる。このため、作業の安全性を向上させることができる。
【００４６】
以上の実施形態では、保持部材３３内にフレキシブル基板２１を保持することにより、自己発光体であるＬＥＤ２５を前後・左右・上部から視認可能で着座時及び作業時に邪魔にならない位置に設けることができる。このため、周囲の第三者が容易にかつ確実に視認でき、安全性が向上する。又、ＬＥＤ２５を含む発光部材５，７の衣服本体３への配置を簡単に行うことができる。
【００４７】
又、ＬＥＤ２５を有した発光部材５，７を衣服本体３に直接に設けるため、衣服本体３の上に安全ベストを着用する必要がなく、安全ベスト着用の手間が不要となる。このため、安全ベストの重量によって重くなったり、衣服本体が安全ベスト等によって隠れることがないため、作業性が低下することがないと共に衣服本体のポケットからの物の出し入れが容易となる。
【００４８】
さらに、ハーネス２３をコネクタから外した後、フレキシブル基板２１を保持部材３３から抜き取って衣服本体３から取り外し、ハーネス２３及び携帯電源２２を衣服本体３から取り出すことにより、発光部材５，７の全体を衣服本体３から取り外すことができる。これにより、衣服本体３の洗濯が容易に可能となる。
【００４９】
なお、この実施形態では、袖部１２側の発光部材５におけるフレキシブル基板２１が上腕部の全周に設けられているが、全周に設けることなく、上腕部の半周等の部分的に設けても良い。この場合にも、ＬＥＤ２５が発光することにより、前後・左右・上部から視認することが可能である。又、前後・左右・上部から視認可能で着座時及び作業時に邪魔にならない位置としては、上述した位置に加えて、襟ぐり部１３や前身頃部１１ａにおける肩口１５を選定することができる。
【００５０】
［第２実施形態］
図６〜図８は、本発明の第２実施形態を示し、図６は安全衣服４１の正面図、図７は安全衣服４１を前開きした展開図、図８はガイド筒の斜視図である。
【００５１】
この実施形態の安全衣服４１は、ブルゾンであり、通常の衣服として着用され、夜間等にＬＥＤ２５を発光させることにより、夜間散歩、夜釣り等に用いることができる。
【００５２】
図６に示すように、安全衣服４１は、服地によって形成された衣服本体４３を備えており、衣服本体４３は、着用者の胸回り及び胴回りを覆う身頃部１１と、左右の腕回りを覆う袖部１２、１２と、首回りを覆う襟ぐり部１３とを有している。見頃部１１における前身頃部１１ａは、左右に開閉可能となっている。
【００５３】
この実施形態においては、第１実施形態の図１と同様に、メッシュ素材からなる保持部材３３が衣服本体３に設けられている。保持部材３３は、衣服本体４３における前後・左右・上部から視認可能な位置で、且つ着座時及び作業時に邪魔にならない位置に設けられるものであり、図１と同様に、袖部１２、１２における左右の肩口１５、１５に近接した位置である上腕部の周囲及び前身頃部１１ａにおける胴回り部分の左右に設けられている。そして、これらの保持部材３３の内部に、発光部材５，７のフレキシブル基板２１が挿入されて保持される。これにより、第１実施形態と同様に、袖部１２，１２のフレキシブル基板２１及び前身頃部１１ａのフレキシブル基板２１が周囲から視認可能となっている。
【００５４】
図示を省略するが、この実施形態においても、発光部材５，７は第１実施形態と同様に、衣服本体４３の裏側のポケット１６に収納される携帯電源２２と、一対のフレキシブル基板２１と、携帯電源２２とフレキシブル基板２１とを接続するハーネス２３とを備えて構成されている（図２参照）。従って、この実施形態においても、ＬＥＤ２５を有した発光部材５，７を衣服本体４３に直接に設けるため、衣服本体４３の上に安全ベストを着用する必要がなく、安全ベスト着用の手間が不要となる。このため、安全ベストの重量によって重くなることがなくなると共に、衣服本体４３のポケットからの出し入れが容易となる。
【００５５】
又、ハーネス２３をコネクタから外した後、フレキシブル基板２１を保持部材３３から抜き取って衣服本体４３から取り外し、ハーネス２３及び携帯電源２２を衣服本体４３から取り出すことにより、発光部材５，７の全体を衣服本体４３から取り外すことができる。これにより、衣服本体４３の洗濯が容易に可能となる。
【００５６】
図７は、この実施形態におけるハーネス２３の配索構造を示す。衣服本体４３の裏側には、ガイド筒３１が設けられている。ガイド筒３１は、布材によって筒状に形成されることによりフレキシブル性を備えている。ガイド筒３１は、ハーネス２３の配索領域に適宜数を縫い付けることにより設けられるものであり、ガイド筒３１にハーネス２３を挿入することにより、衣服本体４３を脱いだときにもハーネス２３が隠れた状態となるため、外観上の見栄えが向上する。
【００５７】
図８は、ガイド筒３１の構造を示し、筒状部３１ａに開閉具４４が取り付けられている。開閉具４４は、筒状部３１ａの長さ方向に沿って取り付けられており、開閉具４４への解除操作及び閉じ操作によりガイド筒３１が開閉可能となっている。この実施形態の開閉具４４は、筒状部３１ａの長さ方向に沿って設けられたファスナーチャックからなり、そのノブ４５をスライド操作することによりガイド筒３１を開閉することができる。
【００５８】
このような開閉具４４を設けることにより、ガイド筒３１を開いた状態としてハーネス２３をガイド筒３１内に挿入することができる。このため、衣服本体４３へのハーネス２３の配索を簡単に行うことができる。この場合、開閉具４４としては、衣服本体４３における裏側に位置するように配置することにより、衣服本体４３を開いたときに開閉具４４が見えないため、外観を向上させることが可能である。
【００５９】
［第３実施形態］
図９及び図１０は、発光部材５１，５２の別の実施形態をそれぞれ示す。これらの発光部材５１，５２は、ベルト５３を有している。かかるベルト５３は、衣服本体３，４３における前後・左右・上部から視認可能で着座時及び作業時に邪魔にならない位置に配置されるものである。
【００６０】
ベルト５３は、フレキシブル性を備えており、発光部材５１，５２の配置部位に応じた湾曲や屈曲が容易となっている。これにより、衣服本体３，４３における前後・左右・上部から視認可能で着座時及び作業時に邪魔にならない位置への配置を容易に行うことができる。各発光部材５１，５２のベルト５３には、自己発光体としてのＬＥＤ２５が一列となるように複数が配置されている。
【００６１】
図９に示す発光部材５１においては、ベルト５３が扁平状となっており、その一方側の端部５１ａが肉厚となっている。そして、この肉厚の一端部５１ａの内部に電源（図示省略）が内蔵される。図１０に示す発光部材５２においては、ベルト５３がロープ状となっており、その一方の端部５２ａに電源（図示省略）が内蔵される。いずれの発光部材５１，５２において、電源としては、鉛電池、リチウム電池が用いられる。これらの電源は、ベルト５３に設けたＬＥＤ２５に接続されており、ＬＥＤ２５に電力を供給するため、ＬＥＤ２５の発光が可能となっている。
【００６２】
なお、それぞれの発光部材５１，５２における電源内蔵部分には、スイッチ５４，５５が設けられており、ＬＥＤ２５への電極供給のＯＮ、ＯＦＦの切り換えが可能となっている。
【００６３】
このような発光部材５１，５２は、ＬＥＤ２５を配置したベルト５３に電源を内蔵しているため、発光部材５１，５２の全体をコンパクトで簡単な構造とすることができる。
【００６４】
そして、このような発光部材５１，５２を衣服本体３，４３における前後・左右・上部から視認可能で着座時及び作業時に邪魔にならない位置に対し、直接に取り付けることにより、周囲の第三者が視認できるため、安全性が向上する。
【００６５】
次ぎに図１１乃至図２１に示す写真を用いて、本発明に係る安全衣服を用いた場合の効果について説明する。
【００６６】
図１１は、自己発光体としてのＬＥＤを安全衣服としての作業服を着て倉庫内の薄暗い場所で作業を行っている状態を示す。（ａ）は、作業服の上腕外周部にＬＥＤを取り付けた場合を示し、（ｂ）はＬＥＤを作業服の背面側に取り付けた場合を示す。倉庫内の薄暗い場所で、前後の段ボールを積むラックが配置されているため、荷物の積み下ろし作業中は、（ｂ）に示すように作業服の背面側にＬＥＤが取り付けられている場合よりも、（ａ）に示すように作業服の上腕外周部にＬＥＤが取り付けられている場合の方が格段に視認性が高いことが確認できる。
【００６７】
図１２は、図１１に示す状態を上から見た状態、例えばフォークリフトの運転者の視点からの状態を示している。この場合でも（ａ）に示すように作業服の上腕外周部にＬＥＤが取り付けられている作業服の方が、（ｂ）に示すように作業服の背面側にＬＥＤが取り付けられている作業服よりもその視認性が高いことが確認できる。（ａ）のように上腕を上方に上げるとろ上方にＬＥＤが向く為、上部から見た際の視認性がより高くなる。
【００６８】
図１３は、例えば倉庫内の薄暗い通路を歩行する場合の、上腕外周部にＬＥＤを取り付けた作業服と、背面側にＬＥＤを取り付けた作業服との視認性の比較を示す。この場合、（ａ）〜（ｄ）に示すように、上腕外周部にＬＥＤを取り付けた場合と背面側や正面側にＬＥＤを取り付けた場合とで同等の視認性が得られる。また、（ｅ）に示すように、上腕外周部からのＬＥＤの光が横の段ボールを照らしており、側面の対象物をＬＥＤが照らすことになるので視認性を更に高めることができる。
【００６９】
図１４（ａ）は、段ボールが積み上げられたラックの隙間から様々な角度で見た状態を示す。（ａ）は上腕外周部にＬＥＤを取り付けた場合で、（ｂ）は背面側又は表面側にＬＥＤを取り付けた場合であり、（ｂ）から明らかなようにＬＥＤを作業服の背面側又は表面側に取り付けたものの視認性は、（ａ）で示す上腕外周部にＬＥＤを取り付けた場合より低く、上腕外周部にＬＥＤを取り付けた場合の方が視認性が高い。
【００７０】
また、（Ｃ）に示すように、休憩時に椅子に座った場合、背面側にＬＥＤが取り付けられていると背もたれに圧迫されて破損する場合があるが、上腕の外周部にＬＥＤを取り付ける場合には、圧迫されてＬＥＤが破損することはない。すなわち、「前後・左右・上部から視認可能で着座時及び作業時に邪魔にならない位置」としての上腕の外周部に自己発光方のＬＥＤを取り付けることにより、上記各実施形態で記載した効果が得られる。
【符号の説明】
【００７１】
１，４１  安全衣服
３，４３  衣服本体
５，７，５１，５２  発光部材
１２  袖部
１１  見頃部
１１ａ  前身頃部
２１  フレキシブル基板
２２  携帯電源
２３  ハーネス
２５  ＬＥＤ
２６  コネクタ
３１  ガイド筒
３３  保持部材
４４  開閉具
５３  ベルト
６１  ドット釦（係止具）
６２  針部材（係止具）
６３  クリップ（係止具）
６４  フック部（係止具）
６５  スライドフック（係止具）
６６  面ファスナー（係止具）
６７  スクリュー部材（係止具）
【図１】
2011084838.tif 000003
【図２】
2011084838.tif 000004
【図３】
2011084838.tif 000005
【図４】
2011084838.tif 000006
【図５】
2011084838.tif 000007
【図６】
2011084838.tif 000008
【図７】
2011084838.tif 000009
【図８】
2011084838.tif 000010
【図９】
2011084838.tif 000011
【図１０】
2011084838.tif 000012
【図１１】
2011084838.tif 000013
【図１２】
2011084838.tif 000014
【図１３】
2011084838.tif 000015
【図１４】
2011084838.tif 000016